(57)【要約】【課題】電子機器本体の階層化された項目情報を階層に対応して表示する表示装置を提供する。【解決手段】複合機１００は、メモリ１３、表示パネル１４、表示制御部１１、および操作部１２を備える。メモリ１３は、階層構造を有した項目情報を記憶し、表示パネル１４は、記憶された項目情報を表示する。表示制御部１１は、項目情報のうち１の項目情報および階層的に関連付けられた他の項目情報を、階層に対応させた特定の位置およびその近傍の位置に表示パネル１４に表示させる。操作部１２は、特定の位置の項目情報を近傍の位置の他の項目情報に置き換える指示入力を受け付け、表示制御部１１は、指示入力に従って特定の位置の表示を指示された他の項目情報に置き換え、該置き換えられた項目情報に関連付けられた他の項目情報を階層に対応させて表示パネル１４に改めて表示させる。【選択図】        図１
2006350935.tif 000002
【特許請求の範囲】
【請求項１】
電子機器本体の機能を実行する際に設定される階層構造を有した項目情報を記憶する記憶手段と、
前記記憶手段に記憶された項目情報を表示する表示手段と、
前記項目情報のうち１の項目情報および前記１の項目情報に階層的に関連付けられた他の項目情報を階層に従って取得し、取得された前記１の項目情報および他の項目情報を、該階層に対応する位置関係で、前記表示手段の特定の位置および前記特定の位置の近傍の位置に、メニュー形式でそれぞれ表示させる制御手段と、
前記表示手段における前記特定の位置の前記１の項目情報の表示を、前記近傍の位置に表示された前記他の項目情報に置き換える指示入力を受け付ける指示手段と、を備え、
前記制御手段は、前記指示手段が受け付けた前記指示入力に従って、前記記憶手段に記憶された項目情報を取得し、前記特定の位置における表示を、前記指示された他の項目情報に置き換え、該置き換えられた項目情報に階層的に関連付けられた他の項目情報を前記階層に対応する位置関係で、前記表示手段の特定の位置および前記特定の位置の近傍の位置に、メニュー形式でそれぞれ表示させるものであることを特徴とする表示装置。
【請求項２】
前記指示手段は、前記表示手段に表示された前記特定の位置に表示された項目情報の設定を確定させる指示入力を受け付け、
前記制御手段は、前記表示手段に、前記指示手段によって受け付けられた指示入力に従って、前記特定の位置に表示された項目情報が確定されたことを表示させるものであることを特徴とする請求項１に記載の表示装置。
【請求項３】
前記指示手段は、前記特定の位置に表示された項目情報が階層的につながる方向へ遷移する指示入力を受け付けるキーを有し、
前記制御手段は、前記指示手段の前記キーが受け付けた指示入力に基づいて、前記表示手段に、前記指示入力された遷移後の項目情報を、前記特定の位置に表示させるものであることを特徴とする請求項１または２に記載の表示装置。
【請求項４】
前記指示手段は、前記キーが、前記特定の位置に表示される項目情報を、メニュー形式において移動させる方向である上方、下方、左方、および右方に対応する位置関係で配設されたものであることを特徴とする請求項３に記載の表示装置。
【請求項５】
前記指示手段は、前記表示手段に表示された前記項目情報からのタッチ入力を受け付け、
前記制御手段は、前記指示手段が受け付けたタッチ入力に基づいて、前記表示手段における前記項目情報を表示するものであることを特徴とする請求項１〜４のいずれか１つに記載の表示装置。
【請求項６】
前記指示手段は、前記キーとして、テンキーを有し、前記テンキーの配列において上方、下方、左方、および右方に配設された数字キーがそれぞれ前記メニュー形式に対応する上方、下方、左方、および右方への遷移要求を受け付けるものであることを特徴とする請求項３に記載の表示装置。
【請求項７】
前記制御手段は、前記表示手段に、前記特定の位置を、前記表示手段の表示可能領域の略中央に配置し、前記近傍の位置を前記特定の位置の上下左右および斜めの８方向に表示させるものであることを特徴とする請求項１〜６のいずれか１つに記載の表示装置。
【請求項８】
前記制御手段は、前記表示手段に、前記特定の位置に表示する１の項目情報から階層的に１つ上位、１つ下位、および１つ同位の項目情報を、前記近傍の位置に表示させるものであることを特徴とする請求項１〜７のいずれか１つに記載の表示装置。
【請求項９】
前記制御手段は、前記表示手段に、前記特定の位置に表示される１の項目情報を強調表示させるものであることを特徴とする請求項１〜８のいずれか１つに記載の表示装置。
【請求項１０】
前記制御手段は、前記表示手段に、前記特定の位置に表示される１の項目情報を反転表示するものであることを特徴とする請求項１〜９のいずれか１つに記載の表示装置。
【請求項１１】
前記制御手段は、前記表示手段に、前記特定の位置に表示される１の項目情報と前記近傍の位置の項目情報とを線で結んだ態様で表示させるものであることを特徴とする請求項１〜１０のいずれか１つに記載の表示装置。
【請求項１２】
前記制御手段は、前記表示手段に、前記特定の位置の１の項目情報を第１の楕円内に表示し、前記第１の楕円外に同心円的に描かれた第２の楕円と前記第１の楕円とで画定される領域を４分割した各４つの領域に、前記１の項目情報に階層に対応する他の項目情報を、該階層に対応させて表示させるものであることを特徴とする請求項１〜１１のいずれか１つに記載の表示装置。
【請求項１３】
装置本体の機能を実行する際に設定される階層構造を有した項目情報を表示する表示装置と、前記表示装置によって表示された項目情報に従って画像形成を行う画像形成手段と、を備えた画像形成装置であって、
前記表示装置は、
前記項目情報を記憶する記憶手段と、
前記記憶手段に記憶された項目情報を表示する表示手段と、
前記項目情報のうち１の項目情報および前記１の項目情報に階層的に関連付けられた他の項目情報を階層に従って取得し、取得された前記１の項目情報および他の項目情報を、該階層に対応する位置関係で、前記表示手段の特定の位置および前記特定の位置の近傍の位置に、メニュー形式でそれぞれ表示させる制御手段と、
前記表示手段における前記特定の位置の前記１の項目情報の表示を、前記近傍の位置に表示された前記他の項目情報に置き換える指示入力を受け付ける指示手段と、を備え、
前記制御手段は、前記指示手段が受け付けた前記指示入力に従って、前記記憶手段に記憶された項目情報を取得し、前記特定の位置における表示を、前記指示された他の項目情報に置き換え、該置き換えられた項目情報に階層的に関連付けられた他の項目情報を前記階層に対応する位置関係で、前記表示手段の特定の位置および前記特定の位置の近傍の位置に、メニュー形式でそれぞれ表示させるものであり、
前記画像形成手段は、前記表示装置によって前記特定の位置に表示された項目情報に従って画像形成を行うものであることを特徴とする画像形成装置。
【請求項１４】
前記指示手段は、前記表示手段に表示された前記特定の位置に表示された項目情報の設定を確定させる指示入力を受け付け、
前記制御手段は、前記表示手段に、前記指示手段によって受け付けられた指示入力に従って、前記特定の位置に表示された項目情報が確定されたことの表示をなし、
前記画像形成手段は、前記制御手段によって確定された項目情報に従って画像形成を行うものであることを特徴とする請求項１３に記載の画像形成装置。
【請求項１５】
電子機器本体の機能を実行する際に設定される階層構造を有した項目情報を記憶する記憶手段と、前記記憶手段に記憶された項目情報を表示する表示手段と、前記項目情報を前記表示手段に表示させる指示入力を受け付ける指示手段とを備えた表示装置における表示方法であって、
前記記憶手段から、前記項目情報のうち１の項目情報および前記１の項目情報に階層的に関連付けられた他の項目情報を階層に従って取得し、取得された前記１の項目情報および他の項目情報を、該階層に対応する位置関係で、前記表示手段の特定の位置および前記特定の位置の近傍の位置に、メニュー形式でそれぞれ表示させる第１の表示工程と、
前記指示手段によって、前記第１の表示工程で前記表示手段に表示された前記特定の位置の前記１の項目情報の表示を、前記近傍の位置に表示された前記他の項目情報に置き換える指示入力を受け付ける指示工程と、
前記指示工程で受け付けられた前記指示入力に従って、前記記憶手段に記憶された項目情報を取得し、前記特定の位置における表示を、前記指示された他の項目情報に置き換え、該置き換えられた項目情報に階層的に関連付けられた他の項目情報を前記階層に対応する位置関係で、前記表示手段の特定の位置および前記特定の位置の近傍の位置に、メニュー形式でそれぞれ表示させる第２の表示工程と、
を含むことを特徴とする表示方法。
【請求項１６】
前記指示工程は、前記表示手段に表示された前記特定の位置に表示された項目情報の設定を確定させる指示入力を受け付けるものであり、
前記第２の表示工程は、前記表示手段に、前記指示手段によって受け付けられた指示入力に従って、前記特定の位置に表示された項目情報が確定されたことを表示させるものであることを特徴とする請求項１５に記載の表示方法。
【請求項１７】
請求項１５または１６に記載の表示方法をコンピュータに実行させることを特徴とするプログラム。
【発明の詳細な説明】
【技術分野】
【０００１】
本発明は、表示装置、画像形成装置、表示方法、およびその方法をコンピュータに実行させるプログラムに関し、特に、電子機器本体に付属して機器本体が設定する項目を表示する表示装置、画像形成装置、表示方法、その方法をコンピュータに実行させるプログラムに関する。
【背景技術】
【０００２】
近年、電子機器本体に付属する表示装置においては、電子機器本体の機能を実行する際に設定する項目が増加しているため、項目情報を設定することが煩雑なものとなってきている。そのため、設定項目を表示装置に表示させて操作者が設定しようとする際に、所望の設定項目を表示させて設定するまでに煩雑な作業が必要となってしまうという問題があった。
【０００３】
この問題を解決するために、階層性を有する設定項目を表示する際、項目の遷移する右方向および左方向に存在する設定項目数を表示画面に表示する技術が考え出されている（特許文献１）。
【０００４】
この技術によると、現在表示装置に表示されている設定項目が、同一階層内の左右方向においてどのような位置にあるかを把握できるので、設定項目の同一階層における性格付けを把握できて他の同一階層にある設定内容を推測することができる表示となる。
【０００５】
【特許文献１】特許第３５１３３０５号公報
【発明の開示】
【発明が解決しようとする課題】
【０００６】
しかしながら、同文献の技術によると、画像形成装置などの電子機器本体では、設定するメニュー項目数が増大して上下の階層性を有する場合、表示されている設定項目が上下の階層のどこに位置するかを把握できないという問題があった。
【０００７】
本発明は、上記の問題に鑑みてなされその目的は、階層性を有して電子機器本体に設定される設定項目を、階層的な位置づけと共に表示し、所望の設定項目を容易に表示させることができる表示装置、画像形成装置、および表示方法、およびその方法をコンピュータに実行させるプログラムを提供することである。
【課題を解決するための手段】
【０００８】
上述した課題を解決し、目的を達成するために、請求項１にかかる発明は、表示装置において、電子機器本体の機能を実行する際に設定される階層構造を有した項目情報を記憶する記憶手段と、前記記憶手段に記憶された項目情報を表示する表示手段と、前記項目情報のうち１の項目情報および前記１の項目情報に階層的に関連付けられた他の項目情報を階層に従って取得し、取得された前記１の項目情報および他の項目情報を、該階層に対応する位置関係で、前記表示手段の特定の位置および前記特定の位置の近傍の位置に、メニュー形式でそれぞれ表示させる制御手段と、前記表示手段における前記特定の位置の前記１の項目情報の表示を、前記近傍の位置に表示された前記他の項目情報に置き換える指示入力を受け付ける指示手段と、を備え、前記制御手段は、前記指示手段が受け付けた前記指示入力に従って、前記記憶手段に記憶された項目情報を取得し、前記特定の位置における表示を、前記指示された他の項目情報に置き換え、該置き換えられた項目情報に階層的に関連付けられた他の項目情報を前記階層に対応する位置関係で、前記表示手段の特定の位置および前記特定の位置の近傍の位置に、メニュー形式でそれぞれ表示させるものであることを特徴とする。
【０００９】
請求項２にかかる発明は、請求項１に記載の表示装置において、前記指示手段は、前記表示手段に表示された前記特定の位置に表示された項目情報の設定を確定させる指示入力を受け付け、前記制御手段は、前記表示手段に、前記指示手段によって受け付けられた指示入力に従って、前記特定の位置に表示された項目情報が確定されたことを表示させるものであることを特徴とする。
【００１０】
請求項３にかかる発明は、請求項１または２に記載の表示装置において、前記指示手段は、前記特定の位置に表示された項目情報が階層的につながる方向へ遷移する指示入力を受け付けるキーを有し、前記制御手段は、前記指示手段の前記キーが受け付けた指示入力に基づいて、前記表示手段に、前記指示入力された遷移後の項目情報を、前記特定の位置に表示させるものであることを特徴とする。
【００１１】
請求項４にかかる発明は、請求項３に記載の表示装置において、前記指示手段は、前記キーが、前記特定の位置に表示される項目情報を、メニュー形式において移動させる方向である上方、下方、左方、および右方に対応する位置関係で配設されたものであることを特徴とする。
【００１２】
請求項５にかかる発明は、請求項１〜４のいずれか１つに記載の表示装置において、前記指示手段は、前記表示手段に表示された前記項目情報からのタッチ入力を受け付け、前記制御手段は、前記指示手段が受け付けたタッチ入力に基づいて、前記表示手段における前記項目情報を表示するものであることを特徴とする。
【００１３】
請求項６にかかる発明は、請求項３に記載の表示装置において、前記指示手段は、前記キーとして、テンキーを有し、前記テンキーの配列において上方、下方、左方、および右方に配設された数字キーがそれぞれ前記メニュー形式に対応する上方、下方、左方、および右方への遷移要求を受け付けるものであることを特徴とする。
【００１４】
請求項７にかかる発明は、請求項１〜６のいずれか１つに記載の表示装置において、前記制御手段は、前記表示手段に、前記特定の位置を、前記表示手段の表示可能領域の略中央に配置し、前記近傍の位置を前記特定の位置の上下左右および斜めの８方向に表示させるものであることを特徴とする。
【００１５】
請求項８にかかる発明は、請求項１〜７のいずれか１つに記載の表示装置において、前記制御手段は、前記表示手段に、前記特定の位置に表示する１の項目情報から階層的に１つ上位、１つ下位、および１つ同位の項目情報を、前記近傍の位置に表示させるものであることを特徴とする。
【００１６】
請求項９にかかる発明は、請求項１〜８のいずれか１つに記載の表示装置において、前記制御手段は、前記表示手段に、前記特定の位置に表示される１の項目情報を強調表示させるものであることを特徴とする。
【００１７】
請求項１０にかかる発明は、請求項１〜９のいずれか１つに記載の表示装置において、前記制御手段は、前記表示手段に、前記特定の位置に表示される１の項目情報を反転表示するものであることを特徴とする。
【００１８】
請求項１１にかかる発明は、請求項１〜１０のいずれか１つに記載の表示装置において、前記制御手段は、前記表示手段に、前記特定の位置に表示される１の項目情報と前記近傍の位置の項目情報とを線で結んだ態様で表示させるものであることを特徴とする。
【００１９】
請求項１２にかかる発明は、請求項１〜１１のいずれか１つに記載の表示装置において、前記制御手段は、前記表示手段に、前記特定の位置の１の項目情報を第１の楕円内に表示し、前記第１の楕円外に同心円的に描かれた第２の楕円と前記第１の楕円とで画定される領域を４分割した各４つの領域に、前記１の項目情報に階層に対応する他の項目情報を、該階層に対応させて表示させるものであることを特徴とする。
【００２０】
請求項１３にかかる発明は、画像形成装置において、装置本体の機能を実行する際に設定される階層構造を有した項目情報を表示する表示装置と、前記表示装置によって表示された項目情報に従って画像形成を行う画像形成手段と、を備えた画像形成装置であって、前記表示装置は、前記項目情報を記憶する記憶手段と、前記記憶手段に記憶された項目情報を表示する表示手段と、前記項目情報のうち１の項目情報および前記１の項目情報に階層的に関連付けられた他の項目情報を階層に従って取得し、取得された前記１の項目情報および他の項目情報を、該階層に対応する位置関係で、前記表示手段の特定の位置および前記特定の位置の近傍の位置に、メニュー形式でそれぞれ表示させる制御手段と、前記表示手段における前記特定の位置の前記１の項目情報の表示を、前記近傍の位置に表示された前記他の項目情報に置き換える指示入力を受け付ける指示手段と、を備え、前記制御手段は、前記指示手段が受け付けた前記指示入力に従って、前記記憶手段に記憶された項目情報を取得し、前記特定の位置における表示を、前記指示された他の項目情報に置き換え、該置き換えられた項目情報に階層的に関連付けられた他の項目情報を前記階層に対応する位置関係で、前記表示手段の特定の位置および前記特定の位置の近傍の位置に、メニュー形式でそれぞれ表示させるものであり、前記画像形成手段は、前記表示装置によって前記特定の位置に表示された項目情報に従って画像形成を行うものであることを特徴とする。
【００２１】
請求項１４にかかる発明は、請求項１３に記載の画像形成装置において、前記指示手段は、前記表示手段に表示された前記特定の位置に表示された項目情報の設定を確定させる指示入力を受け付け、前記制御手段は、前記表示手段に、前記指示手段によって受け付けられた指示入力に従って、前記特定の位置に表示された項目情報が確定されたことの表示をなし、前記画像形成手段は、前記制御手段によって確定された項目情報に従って画像形成を行うものであることを特徴とする。
【００２２】
請求項１５にかかる発明は、表示方法において、電子機器本体の機能を実行する際に設定される階層構造を有した項目情報を記憶する記憶手段と、前記記憶手段に記憶された項目情報を表示する表示手段と、前記項目情報を前記表示手段に表示させる指示入力を受け付ける指示手段とを備えた表示装置における表示方法であって、前記記憶手段から、前記項目情報のうち１の項目情報および前記１の項目情報に階層的に関連付けられた他の項目情報を階層に従って取得し、取得された前記１の項目情報および他の項目情報を、該階層に対応する位置関係で、前記表示手段の特定の位置および前記特定の位置の近傍の位置に、メニュー形式でそれぞれ表示させる第１の表示工程と、前記指示手段によって、前記第１の表示工程で前記表示手段に表示された前記特定の位置の前記１の項目情報の表示を、前記近傍の位置に表示された前記他の項目情報に置き換える指示入力を受け付ける指示工程と、前記指示工程で受け付けられた前記指示入力に従って、前記記憶手段に記憶された項目情報を取得し、前記特定の位置における表示を、前記指示された他の項目情報に置き換え、該置き換えられた項目情報に階層的に関連付けられた他の項目情報を前記階層に対応する位置関係で、前記表示手段の特定の位置および前記特定の位置の近傍の位置に、メニュー形式でそれぞれ表示させる第２の表示工程と、を含むことを特徴とする。
【００２３】
請求項１６にかかる発明は、請求項１５に記載の表示方法において、前記指示工程は、前記表示手段に表示された前記特定の位置に表示された項目情報の設定を確定させる指示入力を受け付けるものであり、前記第２の表示工程は、前記表示手段に、前記指示手段によって受け付けられた指示入力に従って、前記特定の位置に表示された項目情報が確定されたことを表示させるものであることを特徴とする。
【００２４】
請求項１７にかかる発明は、プログラムにおいて、請求項１５または１６に記載の表示方法をコンピュータに実行させることを特徴とする。
【発明の効果】
【００２５】
請求項１にかかる発明によれば、記憶手段が階層構造を有した項目情報を記憶し、制御手段が該項目情報を取得して項目情報が有する階層構造に対応した形態で１の項目情報と他の項目情報を特定の位置と近傍の位置に表示手段に表示し、指示手段が表示された該他の項目情報を特定情報の位置に配置させる指示入力を受け付ける。制御手段は、指示手段が受け付けた指示入力に従って、記憶手段から項目情報を取得し、特定の位置における表示を指示された他の項目情報に置き換え、該置き換えられた項目情報に階層的に関連付けられた他の項目情報を階層に対応する位置関係で表示手段に改めて表示させる。この構成によって、電子機器本体の階層化された項目情報を階層に従って表示することができるので、操作者は設定すべき項目を探し出す煩雑な操作を減らし、煩雑さを減らして効率的に設定項目を設定することができる表示装置を提供できる。
【００２６】
請求項２にかかる発明によれば、指示手段は、表示手段に表示された特定の位置に表示された項目情報の設定を確定させる指示入力を受け付け、受け付けられた指示入力に従って、特定の位置に表示された項目情報が確定されたことを表示する。この構成によって、設定が確定したことを分かり易く視認することができ、煩雑さを減らして効率的に設定項目を設定することができる表示装置を提供できる。
【００２７】
請求項３にかかる発明によれば、指示手段は、キーによって特定の位置に表示された項目情報が階層的につながる方向へ遷移する指示入力を受け付けて、表示手段は該遷移方向の項目情報を特定の位置に表示させる。この構成によって、視覚的に項目情報を推移して設定することができるので、煩雑さを減らして効率的に設定項目を設定することができる表示装置を提供できる。
【００２８】
請求項４にかかる発明によれば、指示手段は、項目を移動表示させるキーが、メニュー形式において移動させる方向である上方、下方、左方、および右方に対応する位置関係で配設される。この構成によって、移動方向と押下するキーとが対応付けて配設されているので、押し間違いが少なく、煩雑さを減らして効率的に設定項目を設定することができる表示装置を提供できる。
【００２９】
請求項５にかかる発明によれば、指示手段は、表示手段に表示された項目情報からのタッチ入力を受け付けて、表示手段における項目情報を表示する。この構成によって、表示手段と指示手段とを一体的に構成でき、装置を小型化できると共に表示面から指示できることにより操作ミスを減らすことができ、煩雑さを減らして効率的に設定項目を設定することができる表示装置を提供できる。
【００３０】
請求項６にかかる発明によれば、指示手段としてテンキーを項目を移動させる位置関係に対応させて使用するので、装置を小型化できると共に表示面から指示することができることにより操作ミスを減らすことができ、煩雑さを減らして効率的に設定項目を設定することができる表示装置を提供できる。
【００３１】
請求項７にかかる発明によれば、表示手段に特定の位置を、表示可能領域の略中央に配置し、近傍の位置を特定の位置の周囲に表示させることによって、１の項目情報に階層的につながる項目情報を一目瞭然に表示するので、煩雑さを減らして効率的に設定項目を設定することができる表示装置を提供できる。
【００３２】
請求項８にかかる発明によれば、表示手段に、特定の位置に表示する１の項目情報から階層的に１つ上位、１つ下位、および１つ同位の項目情報を、近傍の位置に表示させることによって、１の項目情報に階層的につながる４方向の項目情報を一目瞭然に表示するので、煩雑さを減らして効率的に設定項目を設定することができる表示装置を提供できる。
【００３３】
請求項９にかかる発明によれば、表示手段に、特定の位置に表示される１の項目情報を強調表示させることによって、設定に係る１の項目情報を目立たせて表示するので、操作ミスを防ぎ、煩雑さを減らして効率的に設定項目を設定することができる表示装置を提供できる。
【００３４】
請求項１０にかかる発明によれば、表示手段に、特定の位置に表示される１の項目情報を反転表示させることによって、設定に係る１の項目情報を目立たせて表示するので、操作ミスを防ぎ、煩雑さを減らして効率的に設定項目を設定することができる表示装置を提供できる。
【００３５】
請求項１１にかかる発明によれば、表示手段に、特定の位置に表示される１の項目情報と近傍の位置の項目情報とを線で結んだ態様で表示させるので、階層構造が理解し易く、操作に要する時間を短縮することができ、煩雑さを減らして効率的に設定項目を設定することができる表示装置を提供できる。
【００３６】
請求項１２にかかる発明によれば、表示手段に、特定の位置の１の項目情報を第１の楕円内に表示し、第１の楕円外に同心円的に描かれた第２の楕円と第１の楕円とで画定される領域を４分割した各４つの領域に、１の項目情報に階層に対応する他の項目情報を、該階層に対応させて表示させる。この構成によって、階層構造を理解しやすい形態で項目情報を表示するので、設定の操作に要する時間を短縮することができ、煩雑さを減らして効率的に設定項目を設定することができる表示装置を提供できる。
【００３７】
請求項１３にかかる発明によれば、記憶手段が階層構造を有した項目情報を記憶し、該項目情報の有する階層構造に対応した形態で１の項目情報と他の項目情報を特定の位置と近傍の位置に表示手段に表示し、指示手段が表示された該他の項目情報を特定情報の位置に配置させる指示入力を受け付け、受け付けた指示入力に従って、記憶手段から項目情報を取得し、特定の位置に指示された他の項目情報に置き換え、該置き換えられた項目情報に階層的に関連付けられた他の項目情報を階層に対応する位置関係で表示手段に改めて表示させる表示装置によって表示された設定項目に従って、画像形成手段は画像形成を行う。この構成によって、電子機器本体の階層化された項目情報を階層に従って表示した上で、その項目情報に従って画像形成するので、操作者は設定すべき項目を探し出す煩雑な操作を減らし、煩雑さを減らして効率的に設定項目を設定することができる画像形成装置を提供できる。
【００３８】
請求項１４にかかる発明によれば、指示手段は、表示手段に表示された特定の位置に表示された項目情報の設定を確定させる指示入力を受け付け、受け付けられた指示入力に従って、特定の位置に表示された項目情報が確定されたことを表示する。この構成によって、設定が確定したことを分かり易く視認することができ、煩雑さを減らして効率的に設定項目を設定して画像形成することができる画像形成装置を提供できる。
【００３９】
請求項１５にかかる発明によれば、記憶手段に記憶された項目情報のうち１の項目情報および関連付けられた他の項目情報を階層に従って取得して、それぞれ階層に対応する位置関係で、表示手段の特定の位置および近傍の位置にメニュー形式で表示させ、指示手段によって、特定の位置の１の項目情報の表示を、近傍の位置に表示された他の項目情報に置き換える指示入力を受け付け、受け付けられた指示入力に従って、特定の位置に指示された他の項目情報を置き換え、他の項目情報を階層に対応する位置関係で、表示手段の特定の位置および特定の位置の近傍の位置に、メニュー形式で表示させる。この構成によって、電子機器本体の階層化された項目情報を階層に従って表示手段に表示することができるので、操作者は設定すべき項目を探し出す煩雑な操作を減らし、煩雑さを減らして効率的に設定項目を設定することができる表示方法を提供できる。
【００４０】
請求項１６にかかる発明によれば、表示手段に表示された特定の位置に表示された項目情報の設定を確定させる指示入力を受け付けて、受け付けられた指示入力に従って、特定の位置に表示された項目情報が確定されたことを表示する。この構成によって、設定が確定したことを分かり易く視認することができ、煩雑さを減らして効率的に設定項目を設定することができる表示方法を提供できる。
【００４１】
請求項１７にかかる発明によれば、請求項１５または１６に記載の表示方法をコンピュータに実行させるプログラムを提供できる。
【発明を実施するための最良の形態】
【００４２】
以下に添付図面を参照して、この発明にかかる表示装置、画像形成装置、表示方法、およびその方法をコンピュータに実行させるプログラムの最良な実施の形態を詳細に説明する。
【００４３】
（１．全体構成）
図１は、本発明の実施の形態によるカラー画像形成装置の機能的ブロック図である。実施の形態１によるカラー画像形成装置（以下、複合機（ＭＦＰ）と称する）１００は、表示ユニット１、制御ユニット２、画像形成ユニット３、および印刷ユニット４とを備える。
【００４４】
表示ユニット１は、画像形成の設定項目をモニタに表示させる。制御ユニット２は、表示ユニット１を介して設定された項目に従って画像処理を施す。制御ユニット２は、また、複合機１００全体を制御する。
【００４５】
画像形成ユニット３は、制御ユニット２に制御されて画像形成を行う。印刷ユニット４は、制御ユニット２によって制御されて画像形成ユニット３に用紙を搬送し、画像形成ユニット３によって印刷された後に、排紙する。
【００４６】
複合機１００は、複写、ファクシミリ送信、スキャナによる読み取り、パーソナルコンピュータからのデータ送信による印刷出力など、画像形成に関する複数の機能を複合的に実行するものである。ここで、複合機１００に対して設定される複数の設定項目は、上下方向、および左右の同位方向に複数の階層構造を備えたものとする。
【００４７】
以下の説明では原稿を読み取った後のコピー（複写）動作を実行する際の項目設定に関して説明する。しかしながら、本発明は、スキャナによる読み取り機能およびファクシミリ送受信機能を含む種々の機能の実行の際に、複合機の表示パネルに表示される設定項目の表示に対して適用できるものである。それ故、本発明は、ここで例として挙げたコピー機能についてのみに適用できるものでもなく、また、複合機についてのみ適用できるものでもなく、広く設定項目を表示する機能を有する電子機器の多くについて適用可能なものである。
【００４８】
表示ユニット１は、表示制御部１１、操作部１２、メモリ１３、および表示パネル１４を備える。操作部１２は、操作キーを備え、この操作キーが操作者によって押下されることによって、複写に関する項目を設定する指示入力を受け付ける。メモリ１３は、例えばハードディスクのような記憶装置であって、設定項目情報を記憶している。表示パネル１４は、例えば液晶パネルを備えて、設定すべき項目を表示する。表示制御部１１は、デフォルトの設定では、設定項目のうち、階層構造を模式的に図示した場合における最上位で、かつ左端の設定項目を、表示パネル１４に表示する。また、一度、設定した場合は、最後の設定を保持して表示するようにしても良い。
【００４９】
表示制御部１１は、操作部１２によって受け付けられた指示入力に従って、メモリ１３から表示すべき項目情報を読み込み、表示パネル１４での表示形態を指定する。ここで、表示制御部１１が表示パネル１４に表示させる形態は、設定項目が有する階層構造に相似的に対応した位置関係の配置に、メニュー形式で表示させる。即ち、表示パネル１４は、１つの項目情報に対して階層的に上下左右に連結する他の項目情報を、対応して相似的に上下左右に関連付けたメニュー形式で表示する。
【００５０】
図２は、操作部１２および表示パネル１４について説明する図である。図３は、複合機１００で設定可能な項目情報を階層的に表示した模式図である。操作部１２は、上下左右に対応する操作キー１２１、１２２、１２３、１２４、設定／解除を確定するキー１２５、および設定／解除キーにより設定された内容で、画像形成ユニット３に画像形成を実行指示する実行キー１４５を有する。表示パネル１４は、３行３列の要素に対応する位置に、設定すべき項目情報を階層構造に従って表示する。この時、デフォルトでは、図３に示した項目情報のうち、最上位で左端のＡが、表示領域１４０における略中央の位置に表示されることが望ましい。
【００５１】
ここで、表示パネル１４で表示された設定項目を操作者が見ながら、操作者がデフォルトの設定項目の近傍に表示された他の項目（例えばＥ）に対して、操作部１２からキー１２２を押下して指示入力すると、受け付けられた指示入力に従って、表示制御部１１は表示すべき項目情報をメモリ１３から読み込んで、受け付けられた該設定項目（Ｅ）を中央に配置してメニュー形式で新しく表示パネル１４に表示させる。
【００５２】
このように、複合機１００におけるコピーの際には、複数の設定項目が表示パネル１４に表示されて、操作者が操作部１２を介して入力することによって設定できる。この複合機１００では、１つの項目が表示パネル１４の特定の位置に表示されている場合、この１の項目に対して階層構造において上下左右に位置する設定項目が、表示パネル１４の該特定の位置の近傍の位置に、階層構造に対応するメニュー形式で配置されて表示される。さらに、近傍に配置されて表示されている項目が、操作者からの入力により指定されると、該指定された項目が該特定の位置に移動して表示され、同時に、新たに特定の位置に表示された項目に階層的に上下左右につながる他の設定項目が、該特定の位置の近傍に階層構造に対応して相似的に新たなメニュー形式で配置されて表示される。
【００５３】
この構成によって、表示ユニット１では、階層性に従ってその階層性に相似的に設定する項目情報を表示するができ、操作者には容易な操作で設定が可能になり、設定操作の煩雑さを無くすることができる。この表示ユニット１における表示動作の詳細については、後述する。
【００５４】
制御ユニット２は、複写部２１、ファクシミリ部２２、スキャナ部２３、画像処理部２４、スキャナ２５、および通信インタフェース（Ｉ／Ｆ）２６を備える。
【００５５】
スキャナ２５で原稿を読み取ってスキャナ部２３で生成された原稿画像情報は、画像処理部２４によって各種の画像処理が施され、複写部２１によって複写の実行が指示される。また、ファクシミリ部２２によって、スキャナ２５で読み取られた原稿画像情報は、通信Ｉ／Ｆ２６を介して外部機器（不図示）に送信される。画像処理部２４は、文字画像情報を文字コードデータに変換するなど各種の画像処理を施す。
【００５６】
画像形成ユニット３は、帯電器３１、露光部３２、現像部３３、感光体３４、転写部３５、および定着部３６を備える。帯電器３１は感光体３４を帯電させる。露光部３２は、帯電した感光体３４にレーザ光を照射して露光させ、感光体３４上に各色ごとの潜像を形成する。現像部３３は、感光体３４上に形成された各色ごとの潜像に従って、各色ごとの現像処理を施す。
【００５７】
印刷ユニット４は、搬送部４１、給紙部４２、および排紙部４３を備える。給紙部４２は、その上にコピーする転写紙を給紙する。搬送部４１は、給紙部４２から給紙された転写紙を転写部３５に搬送し、画像が転写された後、定着部３６に搬送する。排紙部４３は定着部３６によって定着された転写紙を機外に排紙する。
【００５８】
図４は、複合機全体の概略構成図である。この複合機１００は、レーザビームを使用するタンデム型のカラー画像形成装置である。スキャナ２５によって読み取られた原稿画像情報は、スキャナ部２３によって、Ｋ（ブラック）、Ｙ（イエロー）、Ｃ（シアン）、Ｍ（マゼンタ）からなるカラー記録用の各色の画像データに変換されて、露光部３２へ送られる。
【００５９】
露光部３２は、Ｋ、Ｍ、Ｃ、およびＹ用の各感光体３４ａ、３４ｂ、３４ｃ、および３４ｄ上に、それぞれ画像データに従って、レーザダイオード（ＬＤ）を光源とするビームを照射し、静電潜像を形成する。各静電潜像は各現像部３３ａ、３３ｂ、３３ｃ、および３３ｄによって、それぞれの色のトナーで現像され、各色のトナー像を形成する。４つの感光体ドラム上において現像した画像を、順次色重ねをすることでフルカラーの作像を行う。
【００６０】
搬送部４１は、駆動ローラ４１１、テンションローラ４１２、および従動ローラ４１３を備える。現像部３３によって各色ごとに現像処理が施された画像は、駆動ローラ４１１によって駆動される転写ベルト３３ｅ上に転写される。
【００６１】
転写ベルト３３ｅは、駆動ローラ４１１、テンションローラ４１２、および従動ローラ４１３で支持された透光性のエンドレスベルトである。ここで、テンションローラ４１２が付勢手段（不図示）によって転写ベルト３３ｅに張力を与えるので、ベルトの張力は略一定に保たれている。
【００６２】
転写紙は、給紙部４２（給紙カセット）から転写ベルト３３ｅ上に載置されて搬送され、各感光体３４ａ〜３４ｄに現像形成された各トナー像が、転写部３５ａ、３５ｂ、３５ｃ、および３５ｄにおいて転写ベルト３３ｅ上に順次転写されて重ね合わせた後に、定着部３６に送られて定着される。排紙部４３は、定着を終えた転写紙を機外に排出する。
【００６３】
（２．表示ユニット）
表示ユニット１について、さらに詳細に説明する。図３において示した設定項目の階層的構成を示す模式図において、階層的に構成された各設定項目Ａ〜Ｓを、ここではノードと称する。記述を簡単にするために、上位の階層の項目を親の項目、下位の階層の項目を子の項目、そして同一の階層の項目を兄弟の項目と称する。
【００６４】
また、ノードのうち子のないノードをリーフと称する。例えばノードＬは、リーフの一例である。リーフに対し、設定／解除キー１２５で設定／解除を行う。
【００６５】
操作対象となるノードをフォーカスと称する。操作対象となるノードとは、設定が確定されたり、設定が解除されたり、あるいはそれ以外のノードが選択されようとしているノードという意味である。操作対象となるノードは、図２におけるノードＡが表示されているような表示パネル１４の特定の位置に配置して表示される。ここで、特定の位置としては、表示パネル１４において略中央の位置に表示されることが望ましい。
【００６６】
図５は、ノードのデータ構造を示す模式図である。name５０１は、ノード名を表す。upper５０２は親ノードへのポインタである。lower５０３は子ノードへのポインタである。left５０４は兄弟（左）ノードへのポインタである。right５０５は兄弟（右）ノードへのポインタである。図５に示したデータ構造を持つノードデータを、それぞれのノードが有する。たとえは、ノードＡのデータであれば、図３に示された階層構造に対応してlowerおよびrightにはそれぞれＥおよびＢが指定されているが、upperおよびleftについては、項目が存在しないため、指定されない。
【００６７】
図６は、操作部１２の操作による表示パネル１４の表示を説明する図である。図６に示したfocusの位置を表示領域ａの中央に配置して、隣接する各位置においてfocusからどのように指定されてノードデータを読み込むかが示されている。図６に示された読み込み指定に従って、例えば、初期状態においては、表示パネル１４（図２）の表示領域１４０には、図３中の階層構造上で最上位の左端のノードＡがフォーカスに設定されて表示され、階層的に同位であるＢ、およびＡの下位であるＥ、およびＡの下位でありＥと同位のＦが、この階層構造と相似的に対応して表示パネル１４の表示領域１４０に表示される。
【００６８】
ここで、操作部１２が備えるカーソルキー１２１、１２２、１２３、１２４が押下されると、フォーカスは各々のキーの示す方向に対し、ポインタをたどって移動する。即ち、上キー１２１が押下されると、フォーカスはupperポインタが示す親ノードへ移動する。下キー１２２が押下されると、フォーカスはlower ポインタが示す子ノードへ移動する。左キー１２３が押下されると、フォーカスはleft ポインタが示す兄弟ノードへ移動する。右キー１２４が押下されると、フォーカスはright ポインタが示す兄弟ノードへ移動する。
【００６９】
フォーカスがリーフである場合、設定／解除キー１２５が押下されると設定／解除フラグが変更される。フラグが解除状態である場合に設定／解除キー１２５が押下されると、フラグは設定状態になる。設定状態で設定／解除キー１２５が押下されると、フラグは解除状態になる。
【００７０】
フォーカスをfocusという変数として、各々の指定をＣ言語風に表すと次の通りになる。
フォーカス                focus
リーフ                    focus->lower = NULL;
親ノードへの移動          focus = focus->upper;
子ノードへの移動          focus = focus->lower;
兄弟ノード（左）への移動  focus = focus->left;
兄弟ノード（右）への移動  focus = focus->right;
フラグの設定              if (focus->lower == NULL)  focus->flag = true;
【００７１】
フラグが設定されている場合は対象となるメニュー項目を反転させて表示する。あるいは、色を変えるなどして強調して表示することが望ましい。設定が確定したことを視認し易いためである。また、フォーカスを反転させたり、あるいは色を変えるなどして強調して表示することが望ましい。フォーカスを視認し易くするためである。
【００７２】
図７は、設定項目の表示を説明する図である。図７中の表示領域１４０ｂは、表示領域における位置関係を説明するための３行３列の要素（ａ１１〜ａ１３、ａ２１〜ａ２３、ａ３１〜ａ３３）を記入したものである。フォーカスは、常に中央領域であるａ２２の位置に表示することが望ましい。但し、親ノードも、左子ノードがない場合は、ａ１１に配置する設定とすることもできる。ここでは、フォーカスを常にａ２２の位置に配置するように表示する（表示領域１４０ｃ）。
【００７３】
設定項目が図３に示された階層構造であった場合、初期状態では最上位の左端のノードをフォーカスとするので、Ａが中央のａ２２に表示される。右キー１２４が押下されるとフォーカスがＢへ移るので、ノードＢが中央位置であるａ２２に表示される（表示領域１４０ｄ）。Ｂは子ノードが無いため下層のａ３１〜ａ３３にはノードは表示されない。
【００７４】
さらに右キー１２４を押すとフォーカスはＣに移り、下層のａ３１にＣの子ノードであるIが表示される（表示領域１４０ｅ）。ここで、下キー１２２を押すとフォーカスはIに移り、上層ａ１２に親ノードであるＣ、下層ａ３２には子ノードであるＰが表示される（表示領域１４０ｆ）。さらに下キー１２２を押すと、Ｐにフォーカスが移ってａ２２に表示され（表示領域１４０ｇ）、さらに下キー１２２を押すとＲにフォーカスが移ってａ２２の位置に表示される（表示領域１４０ｈ）。Ｒはリーフ（子ノードがない）であるのでここで設定／解除キー１２５を押すとフラグが設定され、反転表示される。
【００７５】
図８は、複写操作で「１４１％の拡大」を指定する際に、表示パネル１４の表示を説明する模式図である。図９は、図８に示した設定項目の階層構造を説明する図である。ここでは階層構造として、拡大の上位のノードが用紙、変倍、および両面集約分割である。また、拡大の下位のノードは、１１５％、１２２％、１４１％、２００％である。
【００７６】
最初は、最上位で最も左端の「用紙」がデフォルトとしてフォーカスされていて、ここで右キー１２４を押下して「変倍」をフォーカスし、さらに下キー１２２を押下して「拡大」をフォーカスした（表示領域１４０ｊ）。ここで、さらに下キー１２２を押下した場合、「１４１％」がフォーカスされ、設定／解除キー１２５が押下されると、「１４１％拡大コピー」の設定が確定される。
【００７７】
図１０は、表示パネル上での他の表示例の模式図である。ここでは、設定項目を、より階層構造を強調した形態で表示する。まず、現在のフォーカス部分を所定の位置１０１０に表示する。フォーカスの直近の親１０２０、子１０３０、兄弟ノード１０４０および１０５０があればそれらをフォーカスより一段階小さく表示する。さらにそれぞれの親（１０２１など）、子（１０３１など）、兄弟（１０２２など）の直近のノードがあればさらに一段階小さく表示する。それぞれのノードはリンク（１０６０など）でつなぐ。これらの外側にノードが続く場合はリンクだけを表示する。
【００７８】
フォーカスの周囲の表示条件は次のとおりである。
If (フォーカスの親が存在する)
フォーカスの親を表示する。
そして、親の部分を子、兄弟に変えてそれぞれの表示を行う。これらの対象となるノードは次のとおりである。
Focus->upper, Focus->lower, Focus->left, Focus->right
さらに離れた場所の表示条件は次のとおりである。
If (フォーカスの親が存在する)
If (フォーカスの親の親が存在する)
フォーカスの親の親を表示する。
【００７９】
親の部分を適宜、子、兄弟に変えてそれぞれの表示を行う。これの対象となるノードは次のとおりである。
Focus->upper->upper, Focus->upper->left, Focus->upper->right
Focus->lower->lower, Focus->lower->left, Focus->lower->right
Focus->left->upper, Focus->left->lower, Focus->left->left
Focus->right->upper, Focus->right->lower, Focus->right->right
【００８０】
また、リンクのみの表示条件は次のとおりである。
If (フォーカスの親が存在する)
If (フォーカスの親の親が存在する)
If (フォーカスの親の親の親が存在する)
リンクを表示する。
そして、親の部分を適宜子、兄弟に変えてそれぞれの表示を行う。
【００８１】
（３．表示ユニットによる表示手順）
図１１は、表示制御部１１によるノードの表示手順を説明するフローチャートである。表示制御部１１は、操作部１２の上キー１２１が押下されたか否かを検出する状態（ステップＳ１０１）にあって、検出した場合（ステップＳ１０１のＹｅｓ）、フォーカス位置にあるノードの親のノードデータをメモリ１３から読み込む。ノードデータのデータ構造は図５に一例を示してある。表示制御部１１は、図５に示したようなデータ構造のノードデータにおいてノードのポインタを読み込んで、さらにそのポインタの示す親、子、兄弟のノードデータを読み込む（ステップＳ１０２）。こうしてポインタによって示されて読み込んだノードデータに従って、表示パネル１４に図３に示した階層構造の一部を例えば、図２に示すように階層構造に対応する形態で、各ノードを配置してメニュー形式で表示する（ステップＳ１０３）。
【００８２】
表示制御部１１は、上キー１２１（図２）の押下を検出しなかった場合（ステップＳ１０１のＮｏ）操作部１２の下キー１２２が押下されたか否かを検出する状態（ステップＳ１０４）にあって、検出した場合（ステップＳ１０４のＹｅｓ）、フォーカス位置にあるノードの子のノードデータをメモリ１３から読み込む。表示制御部１１は、読み込んだノードデータから、さらにその親、子、兄弟のノードデータを読み込み（ステップＳ１０５）、読み込んだデータに従って、表示パネル１４に階層に相似する形態で新たに各ノードを配置してメニュー形式で表示する（ステップＳ１０３）。
【００８３】
表示制御部１１は、下キー１２２の押下を検出しなかった場合（ステップＳ１０４のＮｏ）操作部１２の左キー１２３が押下されたか否かを検出する状態（ステップＳ１０６）にあって、検出した場合（ステップＳ１０６のＹｅｓ）、フォーカス位置にあるノードの左の兄弟のノードデータをメモリ１３から読み込む。表示制御部１１は、読み込んだノードデータから、さらにその親、子、兄弟のノードデータを読み込み（ステップＳ１０７）、読み込んだデータに従って、表示パネル１４に階層に相似する形態で新たに各ノードを配置してメニュー形式で表示する（ステップＳ１０３）。
【００８４】
表示制御部１１は、左キー１２３の押下を検出しなかった場合（ステップＳ１０６のＮｏ）操作部１２の右キー１２４が押下されたか否かを検出する状態（ステップＳ１０８）にあって、検出した場合（ステップＳ１０８のＹｅｓ）、フォーカス位置にあるノードの右の兄弟のノードデータをメモリ１３から読み込む。表示制御部１１は、読み込んだノードデータから、さらにその親、子、兄弟のノードデータを読み込み（ステップＳ１０９）、読み込んだデータに従って、表示パネル１４に階層に相似する形態で新たに各ノードを配置してメニュー形式で表示する（ステップＳ１０３）。
【００８５】
表示制御部１１は、右キー１２４の押下を検出しなかった場合（ステップＳ１０８のＮｏ）、現在のフォーカスノードがリーフであるか否かを判定する。具体的にはfocus->flagがtrueか否かを判定する（ステップＳ１１０）。リーフでないと、即ちtrueでないと判定された場合（ステップＳ１１０のＮｏ）、さらにキーの押下を待つ（ステップＳ１０１）。一方、リーフであると判定された場合、即ちtrueである場合は（ステップＳ１１０のＹｅｓ）、操作部１２の設定／解除キー１２５が押下されたか否かを検出する状態（ステップＳ１１１）になる。この場合、フォーカスノードは、リーフであるので上下左右への押下キー１２１〜１２４を押下することができない。そして、設定／解除キー１２５の押下を検出した場合（ステップＳ１１１のＹｅｓ）、フラグを設定する（ステップＳ１１２）。表示制御部１１は、設定されたフラグに従って、表示パネル１４に階層に相似する形態で新たに配置されたノードにおいて、フォーカスノードの設定を確定した表示を行う（ステップＳ１０３）。
【００８６】
画像処理部２４は、複写動作を実行する実行命令を入力する実行キー１４５（図２）が押下されたか否かを検出する状態にある（ステップＳ１１３）。ここで、操作者は実行すると判断した場合は実行キーを押下する。また、異なった設定を行うと判断した場合は、操作者は実行キーを押さずに（ステップＳ１１３のＮｏ）、それまでのメニューを表示して（ステップＳ１０３）、最初のステップに戻り、操作部１２からの入力を待つ（ステップＳ１０１）。実行キー１４５が押下されたことを検出した場合（ステップＳ１１３のＹｅｓ）、画像形成ユニット３は複写機能を実行する（ステップＳ１１４）。
【００８７】
以上に説明したように、表示制御部１１は、デフォルトで階層構造に相似したノードを表示パネル１４に表示させており、操作部１２からのフォーカスノードを変更させるキー入力があった場合は、メモリ１３に関連するノードデータを読み込み、新たなフォーカスのノードを中央に、親、子、兄弟のノードを階層構造に相似させて配置させる。
【００８８】
（４．変形例）
ここで、変形例１として、変更入力を受け付けるキーとしては、テンキーを用いる構成とすることができる。テンキーの配列を利用することによって、簡易な構成とすることができる。
【００８９】
ここで、変形例２として、操作部１２の操作キーとして、表示パネル１４からタッチ入力を受け付ける構成とすることができる。階層性を目視により確認しながら確認されたフォーカスの変更を容易に確実に入力することができ、また操作部１２において占める面積を節約することができるからである。
【００９０】
ここで、変形例３として、表示パネル１４には、１つの親ノード、１つの子ノード、１つの左右の兄弟のノードのみをフォーカスノードに隣接して表示する構成とすることができる。多くの項目を表示させて煩雑になることを防ぐことができるからである。
【００９１】
ここで、変形例４として、表示パネル１４には、フォーカスノードを反転、色づけ、拡大表示、音声出力などによって強調表示する構成とすることができる。フォーカスノードを操作者に容易に認識し易くして、設定操作の効率を上げるためである。
【００９２】
ここで、変形例５として、表示パネル１４には、フォーカスノードと親、子、兄弟のノードを線で結んだ態様で表示させる構成とすることができる。操作者は、それぞれのノードの階層性を明瞭に認識できるからである。
【００９３】
ここで、変形例６として、表示パネル１４には、表示パネル１４において、フォーカスノードを第１の楕円内に表示し、第１の楕円外に同心円的に描かれた第２の楕円と第１の楕円とで画定される領域を４分割した各４つの領域に、親ノード、子ノード、兄弟ノードを対応させて表示する構成とすることができる。楕円という美観を伴った領域を４分割して、階層性を明示した態様でノードを表示することができるからである。
【００９４】
（５．効果）
このように、設定すべきフォーカスノードを略中央の位置に配し、これと階層的に連続する親、子、兄弟のノードを、その階層的構造に対応させて近傍の位置に配置して表示パネル１４に表示させ、新たに、上下左右にある親、子、兄弟のノードのいずれかの設定が操作部１２から入力された場合、新たにフォーカスノードに指定されたノードを略中央の位置に表示し、新たにフォーカスノードとされたノードの親、子、兄弟のノードを、再び、階層に対応させて表示パネル１４に新たに表示させることによって、階層的に多数準備された設定項目であっても、所望の設定項目が階層的な位置づけで視認できるメニュー形式で表示されるので、複合機の各種項目の設定に際して所望の項目を探し出す作業に煩雑さを無くし、設定の操作を容易化しうる。
【００９５】
（６．ハードウェア構成など）
図１２は、かかる複合機のハードウェア構成を示すブロック図である。図に示すように、この複合機１００は、コントローラ１２１０とエンジン部１２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１２１０は、複合機１００全体の制御と表示ユニット１による表示処理、制御ユニット２による各種制御、画像形成ユニット３による画像形成など、通信Ｉ／Ｆ２６、操作部１２からの入力を制御するコントローラである。エンジン部１２６０は、ＰＣＩバスに接続可能な画像処理エンジンなどであり、例えば取得した画像データに対して誤差拡散やガンマ変換などの画像処理部分が含まれる。
【００９６】
コントローラ１２１０は、ＣＰＵ１２１１と、ノースブリッジ（ＮＢ）１２１３と、システムメモリ（ＭＥＭ−Ｐ）１２１２と、サウスブリッジ（ＳＢ）１２１４と、ローカルメモリ（ＭＥＭ−Ｃ）１２１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）１２１６と、ハードディスクドライブ１２１８とを有し、ノースブリッジ１２１３とＡＳＩＣ１２１６との間をＡＧＰ（Ａｃｃｅｌｅｒａｔｅｄ  Ｇｒａｐｈｉｃｓ  Ｐｏｒｔ）バス１２１５で接続した構成となる。また、ＭＥＭ−Ｐ１２１２は、ＲＯＭ（Ｒｅａｄ  Ｏｎｌｙ  Ｍｅｍｏｒｙ）１２１２ａと、ＲＡＭ（Ｒａｎｄｏｍ  Ａｃｃｅｓｓ  Ｍｅｍｏｒｙ）１２１２ｂとをさらに有する。
【００９７】
ＣＰＵ１２１１は、複合機１００の全体制御を行うものであり、ＮＢ１２１３、ＭＥＭ−Ｐ１２１２およびＳＢ１２１４からなるチップセットを有し、このチップセットを介して他の機器と接続される。
【００９８】
ＮＢ１２１３は、ＣＰＵ１２１１とＭＥＭ−Ｐ１２１２、ＳＢ１２１４、ＡＧＰ１２１５とを接続するためのブリッジであり、ＭＥＭ−Ｐ１２１２に対する読み書きなどを制御するメモリコントローラと、ＰＣＩマスタおよびＡＧＰターゲットとを有する。
【００９９】
ＭＥＭ−Ｐ１２１２は、プログラムやデータの格納用メモリ、プログラムやデータの展開用メモリなどとして用いるシステムメモリであり、ＲＯＭ１２１２ａとＲＡＭ１２１２ｂとからなる。ＲＯＭ１２１２ａは、プログラムやデータの格納用メモリとして用いる読み出し専用のメモリであり、ＲＡＭ１２１２ｂは、プログラムやデータの展開用メモリ、画像処理時の画像描画メモリなどとして用いる書き込みおよび読み出し可能なメモリである。
【０１００】
ＳＢ１２１４は、ＮＢ１２１３とＰＣＩデバイス、周辺デバイスとを接続するためのブリッジである。このＳＢ１２１４は、ＰＣＩバスを介してＮＢ１２１３と接続されており、このＰＣＩバスには、通信Ｉ／Ｆ２６なども接続される。
【０１０１】
ＡＳＩＣ１２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ１２１５、ＰＣＩバス、ＨＤＤ１２１８およびＭＥＭ−Ｃ１２１７をそれぞれ接続するブリッジの役割を有する。
【０１０２】
このＡＳＩＣ１２１６は、ＰＣＩターゲットおよびＡＧＰマスタと、ＡＳＩＣ１２１６の中核をなすアービタ（ＡＲＢ）と、ＭＥＭ−Ｃ１２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部１２６０との間でＰＣＩバスを介してＵＳＢ（Ｕｎｉｖｅｒｓａｌ  Ｓｅｒｉａｌ  Ｂｕｓ）１２４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）インタフェース１２５０が接続される。
【０１０３】
ＭＥＭ−Ｃ１２１７は、送信用画像バッファ、符号バッファとして用いるローカルメモリであり、ＨＤＤ１２１８は、画像データの蓄積、プログラムの蓄積、フォントデータの蓄積、フォームの蓄積を行うためのストーレジである。
【０１０４】
ＡＧＰ１２１５は、グラフィック処理を高速化するために提案されたグラフィックスアクセラレータカード用のバスインタフェースであり、ＭＥＭ−Ｐ１２１２に高スループットで直接アクセスすることにより、グラフィクスアクセラレータカードを高速にするものである。
【０１０５】
ＡＳＩＣ１２１６に接続するキーボード１２２０は、操作者からの操作入力を受け付けて、ＡＳＩＣ１２１６に受け付けられた操作入力情報を送信する。
【０１０６】
なお、実施形態の複合機１００で実行される表示制御プログラムは、ＲＯＭ等に予め組み込まれて提供される。
【０１０７】
実施形態の複合機１００で実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０８】
さらに、実施形態の複合機１００で実行される表示制御プログラムを、インターネット等のネットワークに接続されたコンピュータ上に格納し、ネットワーク経由でダウンロードさせることにより提供するように構成しても良い。また、実施形態の複合機１００で実行される表示制御プログラムをインターネット等のネットワーク経由で提供または配布するように構成しても良い。
【０１０９】
実施の形態の複合機１００で実行される表示制御プログラムは、上述した各部（表示制御部１１、複写部２１、ファクシミリ部２２、スキャナ部２３、および画像処理部２４）を含むモジュール構成となっており、実際のハードウェアとしてはＣＰＵ（プロセッサ）が上記ＲＯＭから表示制御プログラムを読み出して実行することにより上記各部が主記憶装置上にロードされ、表示制御部１１、複写部２１、ファクシミリ部２２、スキャナ部２３、および画像処理部２４が主記憶装置上に生成されるようになっている。
【０１１０】
以上説明した本発明の実施の形態あるいは変形例は、説明のための一例であって、本発明はここに説明したこれらの具体例に限定されるものではない。
【産業上の利用可能性】
【０１１１】
以上のように、本発明にかかる表示装置、画像形成装置、表示方法、およびその方法をコンピュータに実行させるプログラムは、電子機器に設定する項目情報を表示する表示技術に有用である。
【図面の簡単な説明】
【０１１２】
【図１】本発明の実施の形態によるカラー画像形成装置の機能的ブロック図である。
【図２】操作部１２および表示パネル１４について説明する図である。
【図３】複合機で設定可能な項目情報を階層的に表示した模式図である。
【図４】複合機全体の概略構成図である。
【図５】ノードのデータ構造を示す模式図である。
【図６】操作部１２の操作による表示パネル１４の表示を説明する図である。
【図７】設定項目の表示を説明する図である。
【図８】複写操作で「１４１％の拡大」を指定する際に、表示パネル１４の表示を説明する模式図である。
【図９】図８に示した設定項目の階層構造を説明する図である。
【図１０】表示パネル上での他の表示例の模式図である。
【図１１】表示制御部１１によるノードの表示手順を説明するフローチャートである。
【図１２】かかる複合機のハードウェア構成を示すブロック図である。
【符号の説明】
【０１１３】
１  表示ユニット
２  制御ユニット
３  画像形成ユニット
４  印刷ユニット
１１  表示制御部
１２  操作部
１３  メモリ
１４  表示パネル
１００  カラー画像形成装置（複合機（ＭＦＰ））
１２１、１２２、１２３、１２４  操作キー
１２５  設定／解除キー
１４５  実行キー
【図１】
2006350935.tif 000003
【図２】
2006350935.tif 000004
【図３】
2006350935.tif 000005
【図４】
2006350935.tif 000006
【図５】
2006350935.tif 000007
【図６】
2006350935.tif 000008
【図７】
2006350935.tif 000009
【図８】
2006350935.tif 000010
【図９】
2006350935.tif 000011
【図１０】
2006350935.tif 000012
【図１１】
2006350935.tif 000013
【図１２】
2006350935.tif 000014